(57)【要約】【課題】  遮光状態において室内を暗室状態により近づけることができる三層タイプの調光式ロールスクリーンを提供する。【解決手段】  スクリーン１１が、その前面を形成する前側透光膜材１１ａと、その後面を形成する後側透光膜材１１ｂと、前側透光膜材１１ａと後側透光膜材１１ｂとの隙間内で上下方向に所定間隔を隔てた状態で略平行に配された複数の遮光膜材１１ｃとで構成された三層タイプの調光式ロールスクリーン１０において、遮光状態において、それぞれの遮光膜材１１ｃにおける後側連結部１１ｃ２の上縁（点Ｒ１）が、それぞれの遮光膜材１１ｃの１つ上側に配される遮光膜材１１ｃの前側連結部１１ｃ１の上縁よりも上側に位置するようにした。【選択図】  図４
2019196683.tif 000002
【特許請求の範囲】
【請求項１】
採光用開口部を覆うためのスクリーンと、
スクリーンを採光用開口部の上側に巻装するための巻装ローラと
を備え、
スクリーンが、
スクリーンの前面を形成する前側透光膜材と、
スクリーンの後面を形成する後側透光膜材と、
前側透光膜材と後側透光膜材との隙間内で上下方向に所定間隔を隔てた状態で略平行に配された複数の遮光膜材と
で構成され、
それぞれの遮光膜材における前縁部が前側透光膜材に対して重合連結された前側連結部とされて、それぞれの遮光膜材における後縁部が後側透光膜材に対して重合連結された後側連結部とされ、
後側透光膜材に対する前側透光膜材の相対的な位置を変化させることにより、
それぞれの遮光膜材の前縁部が後縁部に対して下降して、それぞれの遮光膜材が立った状態になり、上下方向に隣り合う遮光膜材の隙間が最小になって、スクリーンの後側から前側に取り込まれる光量が最小になる遮光状態と、
それぞれの遮光膜材の前縁部が後縁部に対して上昇して、それぞれの遮光膜材が寝た状態になり、上下方向に隣り合う遮光膜材の隙間が広くなって、スクリーンの後側から前側に取り込まれる光量が増大する採光状態と
を切り替えることができるようにした調光式ロールスクリーンであって、
遮光状態において、それぞれの遮光膜材における後側連結部の上縁が、それぞれの遮光膜材の１つ上側に配される遮光膜材の前側連結部の上縁よりも上側に位置するようにした
ことを特徴とする調光式ロールスクリーン。
【請求項２】
それぞれの遮光膜材における後側連結部の上下幅が７ｍｍ以上とされ、
遮光状態において、それぞれの遮光膜材における後側連結部の上縁が、それぞれの遮光膜材の１つ上側に配される遮光膜材の前側連結部の上縁よりも２ｍｍ以上高い位置となるようにした
請求項１記載の調光式ロールスクリーン。
【請求項３】
遮光膜材における、前側透光膜材と後側透光膜材との間に位置する部分の前後幅Ｗ１が、採光状態における前側透光膜材と後側透光膜材との間隔Ｄ１よりも大きく設定されることにより、
採光状態における遮光膜材に、当該遮光膜材の前縁側で上側に凸となるように湾曲する上側湾曲部と、当該遮光膜材の後縁側で下側に凸となるように湾曲する下側湾曲部とが形成されるようにし、
採光状態のスクリーンを前方から見たときに、それぞれの遮光膜材における後側連結部が、それぞれの遮光膜材の上側湾曲部の後側に隠れるようにした
請求項１又は２記載の調光式ロールスクリーン。
【請求項４】
請求項１〜３いずれか記載の調光式ロールスクリーンを製造する調光式ロールスクリーンの製造方法。
【発明の詳細な説明】
【技術分野】
【０００１】
本発明は、取り込む光量を調節することができる調光式ロールスクリーンと、その製造方法とに関する。
【背景技術】
【０００２】
室内に取り込む光量を調節することができる調光式ロールスクリーンとしては、各種のものが提案されている。
【０００３】
例えば、特許文献１の図１には、巻取りパイプ１１０（巻装ローラ）に巻装可能な前後二重のスクリーン１２０に、透過部１２２（透光部）と不透過部１２４（遮光部）とを交互に形成し、前側の透光部１２２と後側の透光部１２２とが前後に重なったときに採光状態となり、透光部１２２と遮光部１２４とが前後に重なったときに遮光状態となる調光式ロールスクリーンが提案されている。以下においては、特許文献１の調光式ロールスクリーンのように、スクリーン１２０が二層構造を為す調光式ロールスクリーンを、「二層タイプの調光式ロールスクリーン」と呼ぶことがある。
【０００４】
また、特許文献２の図３には、スクリーンを、その表面（前面）を形成する表生地７（前側透光膜材）と、その裏面（後面）を形成する裏生地９（後側透光膜材）と、前側透光膜材７と後側透光膜材９との間に配された複数の中生地８（遮光膜材）とで構成した調光式ロールスクリーンが提案されている。この調光式ロールスクリーンは、同文献の図４に示されるように、それぞれの遮光膜材８が立った状態になり、スクリーンの後側から前側に取り込まれる光量が最小になる遮光状態と、同文献の図２に示されるように、それぞれの遮光膜材８が寝た状態になり、スクリーンの後側から前側に取り込まれる光量が増大する採光状態とを切り替えることができるものとなっている。以下においては、特許文献２の調光式ロールスクリーンのように、スクリーン１２０が三層構造を為す調光式ロールスクリーンを、「三層タイプの調光式ロールスクリーン」と呼ぶことがある。
【先行技術文献】
【特許文献】
【０００５】
【特許文献１】特開２０１８−００３５４１号公報
【特許文献２】特開２０１７−０４４０５４号公報
【発明の概要】
【発明が解決しようとする課題】
【０００６】
ところが、特許文献１のような二層タイプの調光式ロールスクリーンでは、遮光状態において前後に重なる透光部１２２と遮光部１２４との寸法形状を揃える必要があった。このため、特許文献１のような二層タイプの調光式ロールスクリーンは、採光状態においても、スクリーン１２０における略半分の面積でしか採光を行うことができないという欠点を有していた。また、特許文献１のような二層タイプの調光式ロールスクリーンは、遮光状態においても、スクリーン１２０における前側の生地と後側の生地との間に前後方向の広い隙間が形成される構造となっていた。このため、特許文献１のような二層タイプの調光式ロールスクリーンは、遮光状態においても、上記の隙間を通じて光が室内側に漏れ出てしまい、室内を暗室状態にできないという欠点も有していた。
【０００７】
これに対し、特許文献２のような三層タイプの調光式ロールスクリーンは、遮光膜材８の起立角度を変化させることにより調光を行うものであるため、採光状態においては、二層タイプの調光式ロールスクリーンよりも、広い範囲での採光が可能になるとの利点を有している。また、特許文献２のような三層タイプの調光式ロールスクリーンでは、遮光状態において、前側透光膜材７と後側透光膜材８との間の前後方向の隙間が狭まるため、採光状態においては、二層タイプの調光式ロールスクリーンよりも、室内を暗くできるという利点も有している。
【０００８】
このように、三層タイプの調光式ロールスクリーンは、室内を明るくできることに加えて、室内を暗くすることもでき、二層タイプの調光式ロールスクリーンよりも、調光の幅が広いという利点を有している。しかし、三層タイプの調光式ロールスクリーンでも、遮光状態においては、上下方向に隣り合う遮光膜材８の隙間から僅かに光が漏れ出てしまい、室内側（前側）からスクリーンを見ると、上下方向に隣り合う遮光膜材８の境界部に明るい部分（明部）が筋状に形成されていた。近年は、客室のカーテン等を調光式ロールスクリーンで置き換えることを検討しているホテル等も増えてきているが、遮光状態において室内を暗室状態にできることを望むホテル等も多く、上記のように、遮光状態でも明部が筋状に形成される調光式ロールスクリーンの導入に至るホテル等は、限定的であった。
【０００９】
本発明は、上記課題を解決するために為されたものであり、遮光状態において上下方向に隣り合う遮光膜材の境界部に明部が筋状に形成されにくく、室内を暗室状態により近づけることができる三層タイプの調光式ロールスクリーンを提供するものである。また、この調光式ロールスクリーンの製造方法を提供することも本発明の目的である。
【課題を解決するための手段】
【００１０】
上記課題は、
採光用開口部を覆うためのスクリーンと、
スクリーンを採光用開口部の上側に巻装するための巻装ローラと
を備え、
スクリーンが、
スクリーンの前面（室内側を向く面。以下同じ。）を形成する前側透光膜材と、
スクリーンの後面（室外側を向く面。以下同じ。）を形成する後側透光膜材と、
前側透光膜材と後側透光膜材との隙間内で上下方向に所定間隔を隔てた状態で略平行に配された複数の遮光膜材と
で構成され、
それぞれの遮光膜材における前縁部が前側透光膜材に対して重合連結された前側連結部とされて、それぞれの遮光膜材における後縁部が後側透光膜材に対して重合連結された後側連結部とされ、
後側透光膜材に対する前側透光膜材の相対的な位置（上下位置又は前後位置）を変化させることにより、
それぞれの遮光膜材の前縁部が後縁部に対して下降して、それぞれの遮光膜材が立った状態になり、上下方向に隣り合う遮光膜材の隙間が最小（上下方向に隣り合う遮光膜材の間に隙間が存在しなくなる状態を含む。）になって、スクリーンの後側から前側に取り込まれる光量が最小になる遮光状態と、
それぞれの遮光膜材の前縁部が後縁部に対して上昇して、それぞれの遮光膜材が寝た状態になり、上下方向に隣り合う遮光膜材の隙間が広くなって、スクリーンの後側から前側に取り込まれる光量が増大する採光状態と
を切り替えることができるようにした調光式ロールスクリーンであって、
遮光状態において、それぞれの遮光膜材における後側連結部の上縁が、それぞれの遮光膜材の１つ上側に配される遮光膜材の前側連結部の上縁よりも上側に位置するようにした
ことを特徴とする調光式ロールスクリーン
を提供することによって解決される。
【００１１】
このように、遮光状態において、それぞれの遮光膜材における後側連結部の上縁が、それぞれの遮光膜材の１つ上側に配される遮光膜材の前側連結部の上縁よりも上側に位置するようにすることにより、遮光状態において上下方向に隣り合う遮光膜材の隙間に光が入り込みにくくすることができる。換言すると、遮光状態においてスクリーンの前面側に漏れ出てくる光の量を抑えることができる。したがって、室内側（前側）からスクリーンを見たときに、上下方向に隣り合う遮光膜材の境界部に明部が筋状に形成されないようにし、室内を暗室状態により近づけることが可能になる。
【００１２】
本発明の調光式ロールスクリーンにおいて、それぞれの遮光膜材における後側連結部の上下幅をどの程度に設定するかは、特に限定されない。しかし、従来の三層タイプの調光式スクリーン（特許文献２の調光式ロールスクリーン）において、後側連結部の上下幅は、高々５ｍｍ程度であるところ、これを７ｍｍ以上とすることが好ましい。これにより、遮光状態において、スクリーンの室内側（前側）に光がさらに漏れ出てきにくくすることが可能になる。後側連結部の上下幅は、８ｍｍ以上とすることがより好ましく、９ｍｍ以上とすることがさらに好ましい。
【００１３】
これに対し、後側連結部の上下幅の上限は、遮光膜材の上下方向の配置ピッチ等によっても異なり、特に限定されない。しかし、後側連結部の上下幅を大きくしすぎると、採光状態において、室内側に取り込まれる光量が低下するだけでなく、後側連結部が目立ちやすくなり、採光状態における調光式ロールスクリーンの外観が低下する虞もある。このため、後側連結部の上下幅は、通常、３０ｍｍ以下とされる。後側連結部の上下幅は、２５ｍｍ以下とすることが好ましく、２０ｍｍ以下とすることがより好ましく、１５ｍｍ以下とすることがさらに好ましい。
【００１４】
本発明の調光式ロールスクリーンにおいて、遮光状態で、それぞれの遮光膜材における後側連結部の上縁を、それぞれの遮光膜材の１つ上側に配される遮光膜材の前側連結部の上縁よりもどの程度高くするかは、特に限定されない。しかし、遮光状態において室内側に光がより漏れ出にくくするためには、遮光状態において、それぞれの遮光膜材における後側連結部の上縁が、それぞれの遮光膜材の１つ上側に配される遮光膜材の前側連結部の上縁よりも２ｍｍ以上高くなるようにすることが好ましく、３ｍｍ以上高くなるようにすることがよりこの好ましく、４ｍｍ以上高くなるようにすることがさらに好ましい。以下においては、遮光状態における、それぞれの遮光膜材における後側連結部の上縁の、それぞれの遮光膜材の１つ上側に配される遮光膜材の前側連結部の上縁からの高さを、「遮光状態における後側連結部の突出高さ」と呼ぶことがある。
【００１５】
遮光状態における後側連結部の突出高さの上限は、遮光膜材の上下方向の配置ピッチ等によっても異なり、特に限定されない。しかし、遮光状態における後側連結部の突出高さを大きくしすぎると、採光状態において、室内側に取り込まれる光量が低下するだけでなく、後側連結部が目立ちやすくなり、採光状態における調光式ロールスクリーンの外観が低下する虞もある。このため、遮光状態における後側連結部の突出高さは、２０ｍｍ以下とすることが好ましい。遮光状態における後側連結部の突出高さは、１５ｍｍ以下とすることがより好ましく、１０ｍｍ以下とすることがさらに好ましい。
【００１６】
ところで、本発明の調光式ロールスクリーンにおいては、上述したように、遮光状態において、それぞれの遮光膜材における後側連結部の上縁が、それぞれの遮光膜材の１つ上側に配される遮光膜材の前側連結部の上縁よりも上側に位置するようにした（従来の三層タイプの調光式ロールスクリーンよりも、遮光膜材の後側連結部が高い位置まで延在するようにした）。このため、本発明の調光式ロールスクリーンでは、採光状態において、従来の三層タイプの調光式ロールスクリーンよりも、遮光膜材における後側連結部が、前方から見えやすくなる虞がある。後側連結部は、遮光膜材と後側透光膜材とが重合する部分であるため、他の部分よりも暗く見えるようになるところ、採光状態においてこの後側連結部が見えることがあると、調光式ロールスクリーンの見た目が悪くなってしまう。この採光状態における見た目の低下は、以下の構成を採用することで、解決することができる。
【００１７】
すなわち、
遮光膜材における、前側透光膜材と後側透光膜材との間に位置する部分の前後幅Ｗ１（遮光膜材を前後方向に真っすぐに伸ばしたときの前後幅。以下同じ。）を、採光状態における前側透光膜材と後側透光膜材との間隔Ｄ１よりも大きく設定することにより、
採光状態における遮光膜材に、当該遮光膜材の前縁側で上側に凸となるように湾曲する上側湾曲部と、当該遮光膜材の後縁側で下側に凸となるように湾曲する下側湾曲部とが形成されるようにし、
採光状態のスクリーンを前方から見たときに、それぞれの遮光膜材における後側連結部が、それぞれの遮光膜材の上側湾曲部の後側に隠れるようにする
ことが好ましい。
【００１８】
これにより、採光状態において、それぞれの遮光膜材における後側連結部を、それぞれの遮光膜材における上側湾曲部で自然な状態で隠すことができ、調光式ロールスクリーンの見た目の低下を抑えることが可能になる。
【００１９】
本発明の調光式ロールスクリーンにおいて、スクリーンは、別個に形成された前側透光膜材と後側透光膜材と遮光膜材とを後から縫合や溶着等により連結したものであってもよい。しかし、本発明の調光式ロールスクリーンは、遮光状態において、それぞれの遮光膜材における後側連結部の上縁が、それぞれの遮光膜材の１つ上側に配される遮光膜材の前側連結部の上縁よりも上側に位置するようにするものであり、スクリーンを構成する各部材に比較的高い寸法精度が要求されるものとなっている。このため、別個に形成された前側透光膜材と後側透光膜材と遮光膜材とを後から連結する方法では、前側透光膜材や後側透光膜材に対する遮光膜材の位置決めに労力を要するようになる。
【００２０】
したがって、本発明の調光式ロールスクリーンにおいては、そのスクリーンを、織機により、前側透光膜材と後側透光膜材と遮光膜材とを一体的に織り上げて形成することが好ましい。これにより、前側透光膜材や後側透光膜材に対して遮光膜材を高い精度で位置決め等することが可能になる。この場合、織り上げられたスクリーンは、その上縁や下縁が遮光膜材に対して高精度で平行になり、且つ、正確な長方形に裁断する必要がある。このような高精度の裁断は、織り上げられたスクリーンを、そのスクリーンにテンションを掛けた状態で台の上に乗せ、その上縁及び下縁並びにその両側の側縁を、スクリーンの向きを切り替えることなく、切断することで実現することができる。台の上面に設けた多数の吸気部から吸気を行い、スクリーンが台の上面に吸い付いた状態で裁断を行うようにすると、スクリーンをより高精度で裁断することが可能になる。
【発明の効果】
【００２１】
以上のように、本発明によって、遮光状態において上下方向に隣り合う遮光膜材の境界部に明部が筋状に形成されにくく、室内を暗室状態により近づけることができる三層タイプの調光式ロールスクリーンを提供することが可能になる。また、この調光式ロールスクリーンの製造方法を提供することも可能になる。
【図面の簡単な説明】
【００２２】
【図１】本発明の調光式ロールスクリーンを示した図であって、遮光膜材が寝て採光状態にあるときを、前方斜め右上から見た状態を示した斜視図である。
【図２】本発明の調光式ロールスクリーンを示した図であって、遮光膜材が寝て採光状態にあるときを、側方から見た状態を示した側面図である。
【図３】本発明の調光式ロールスクリーンを示した図であって、遮光膜材が立って遮光状態にあるときを、前方斜め右上から見た状態を示した斜視図である。
【図４】本発明の調光式ロールスクリーンを示した図であって、遮光膜材が立って遮光状態にあるときを、側方から見た状態を示した側面図である。
【図５】本発明の調光式ロールスクリーンの状態遷移を説明する図である。
【発明を実施するための形態】
【００２３】
本発明の調光式ロールスクリーンの好適な実施態様について、図面を用いてより具体的に説明する。言うまでもなく、以下で述べる構成は、飽くまで一実施例として述べるものであり、本発明の調光式ロールスクリーンの技術的範囲は、以下で述べる構成に限定されない。本発明の調光式ロールスクリーンは、発明の趣旨を損なわない範囲で、以下で述べる構成から適宜変更を施すことが可能である。
【００２４】
図１〜４は、本発明の調光式ロールスクリーン１０を示した図であって、図１，２は、遮光膜材１１ｃが寝て採光状態にあるときを、図３，４は、遮光膜材１１ｃが立って遮光状態にあるときを示している。このうち、図１，３は、調光式ロールスクリーン１０を前方斜め右上から見た斜視図として描いており、図２，４は、調光式ロールスクリーン１０を側方から見た側面図として描いている。ただし、図２，４においては、図視の便宜上、図１,３には示した回転操作手段１３及び摩擦車１４の図視を省略している。
【００２５】
本発明の調光式ロールスクリーン１０は、通常、窓等の採光用開口部の前側（室内側）に配される。本発明の調光式ロールスクリーン１０は、図１に示すように、スクリーン１１と、巻装ローラ１２とを備えている。
【００２６】
スクリーン１１は、採光用開口部を覆うためのものとなっている。スクリーン１１の下縁部には、ボトムレール１５が取り付けられている。このボトムレール１５によって、スクリーン１１の下縁部の形態が保持されるとともに、スクリーン１１に下向きの張力が加えられ、巻装ローラ１２から垂下するスクリーン１１が伸ばされるようになっている。
【００２７】
巻装ローラ１２は、スクリーン１１を巻装するためのものとなっている。巻装ローラ１２は、通常、ヘッドボックス（図視省略）の内側に収容された状態とされ、このヘッドボックスに設けられた取付ブラケット（図視省略）を介して、採光用開口部の上側（採光用開口部の上縁近傍）に取り付けられる。この巻装ローラ１２がスクリーン１１を巻き取ると、スクリーン１１が上昇して採光用開口部がスクリーン１１によって遮られなくなり、この巻装ローラ１２がスクリーン１１を巻き解くと、スクリーン１１が下降して採光用開口部がスクリーン１１によって覆われた状態となる。
【００２８】
この巻装ローラ１２には、巻装ローラ１２を中心線Ｌ１回りに順方向（図１の矢印Ａ１の向き）及び逆方向（図１の矢印Ａ２の向き）に回転操作するための回転操作手段１３が設けられている。回転操作手段１３は、巻装ローラ１２を回転操作できるものであれば、その種類を特に限定されない。本実施態様の調光式ロールスクリーン１０においては、紐やボールチェーン等の線状部材を環状に形成したもの（以下、「操作紐」と呼ぶことがある。）を回転操作手段１３として用いている。
【００２９】
巻装ローラ１２の一端部には、摩擦車１４を設けており、この摩擦車１４には、上述した環状の操作紐１３の上端側が巻き掛けられている。このため、環状の操作紐１３における手前側（前側）に垂下する部分を下側に引っ張ると、摩擦車１４が順方向Ａ１に回転するとともに、その摩擦車１４に連動して巻装ローラ１２も順方向Ａ１に回転するようになっている。これとは逆に、環状の操作紐１３における奥側（後側）に垂下する部分を下側に引っ張ると、摩擦車１４が逆方向Ａ２に回転するとともに、その摩擦車１４に連動して巻装ローラ１２も逆方向Ａ２に回転するようになっている。
【００３０】
本発明の調光式ロールスクリーン１０は、三層タイプのものとなっている。すなわち、本発明の調光式ロールスクリーン１０では、図２に示すように、スクリーン１１が、スクリーン１１の前面（室内側を向く面）を形成する前側透光膜材１１ａと、スクリーン１１の後面（室外側を向く面）を形成する後側透光膜材１１ｂと、前側透光膜材１１ａと後側透光膜材１１ｂとの隙間内で上下方向に所定間隔を隔てた状態で略平行に配された複数の遮光膜材１１ｃとで構成されている。前側透光膜材１１ａは、巻装ローラ１２の外周面における点Ｐ１から垂下され、後側透光膜材１１ｂは、巻装ローラ１２の外周面における、点Ｐ１よりも後側（順方向Ａ１側）に位置する点Ｐ２から垂下されている。
【００３１】
また、それぞれの遮光膜材１１ｃにおける前縁部は、前側透光膜材１１ａに対して重合連結された前側連結部１１ｃ１（図２における点Ｑ１と点Ｑ２との間の部分）となっており、前側透光膜材１１ａの上下変位や前後変位に応じて、それぞれの遮光膜材１１ｃにおける前縁部の上下位置や前後位置が変化するようになっている。一方、それぞれの遮光膜材１１ｃにおける後縁部は、後側透光膜材１１ｂに対して重合連結された後側連結部１１ｃ２（図２における点Ｒ１と点Ｒ２との間の部分）となっており、後側透光膜材１１ｂの上下変位や前後変位に応じて、それぞれの遮光膜材１１ｃにおける後縁部の上下位置や前後位置が変化するようになっている。このため、本発明の調光式ロールスクリーン１０は、巻装ローラ１２を順方向Ａ１又は逆方向Ａ２に回転させることで、図５に示すように、その状態が遷移するようになっている。
【００３２】
図５は、本発明の調光式ロールスクリーン１０の状態遷移を説明する図である。図５においては、図２，４と同様、図１,３には示した回転操作手段１３及び摩擦車１４の図視を省略している。
【００３３】
図５（ａ）は、スクリーン１１が巻装ローラ１２に対して順方向Ａ１に完全に巻き取られた様子を、図５（ｂ）は、図５（ａ）に示す状態から巻装ローラ１２を逆方向Ａ２に回転させてスクリーン１１を巻き解いている途中の様子を、図５（ｃ）は、図５（ｂ）に示す状態から巻装ローラ１２をさらに逆方向Ａ２に回転させてスクリーン１１を遮光状態とした様子を、図５（ｄ）は、図５（ｃ）に示す状態から巻装ローラ１２をさらに逆方向Ａ２に回転させてスクリーン１１を半採光状態とした様子を、図５（ｅ）は、図５（ｄ）に示す状態から巻装ローラ１２をさらに逆方向Ａ２に回転させてスクリーン１１を最大採光状態とした様子を示している。
【００３４】
そして、図５（ｆ）は、図５（ｅ）に示す状態から巻装ローラ１２をさらに逆方向Ａ２に回転させてスクリーン１１が採光状態のまま巻装ローラ１２に対して逆方向Ａ２に巻き取られ始めた様子を、図５（ｇ）は、図５（ｆ）に示す状態から巻装ローラ１２をさらに逆方向Ａ２に回転させてスクリーン１１が採光状態のまま巻装ローラ１２に巻き取られている途中の様子を、図５（ｈ）は、図５（ｇ）に示す状態から巻装ローラ１２をさらに逆方向Ａ２に回転させてスクリーン１１が巻装ローラ１２に対して逆方向Ａ２に完全に巻き取られた様子を示している。図５（ｈ）に示す状態から、巻装ローラ１２を順方向Ａ１に回転させると、調光式ロールスクリーン１０は、図５（ｈ）に示す状態から、図５（ｇ），（ｆ），（ｅ），（ｄ），（ｃ），（ｂ）に示す状態をこの順に辿り、最終的には、図５（ａ）に示す状態となる。
【００３５】
ここで、注目すべきは、図５（ｃ），（ｄ），（ｅ）における遮光膜材１１ｃの変化である。すなわち、図５（ｃ）に示す状態では、前側透光膜材１１ａと後側透光膜材１１ｂとが近づいてその隙間（前後方向の隙間）が狭くなるとともに、それぞれの遮光膜材１１ｃの前縁部（前側連結部１１ｃ１（図３，４を参照））が、それぞれの遮光膜材１１ｃの後縁部（後側連結部１１ｃ２）に対して相対的に下側へ大きく下降した状態となっている。このため、それぞれの遮光膜材１１ｃは、上下方向に対して略平行となるように、立った状態となる。
【００３６】
図４は、図５（ｃ）を拡大して示した図に相当するが、この図４を見ると、それぞれの遮光膜材１１ｃの上縁部（後縁部）が、その遮光膜材１１ｃよりも１つ上側に位置する遮光膜材１１ｃの下縁部（前縁部）の後側に重なるようになっている。このため、図４（図５（ｃ））に示す状態のスクリーン１１を前側から見ると、上下に隣り合う遮光膜材１１ｃの間には隙間（遮光膜材１１ｃが存在しない領域）が存在しないようになっている。加えて、図４（図５（ｃ））に示す状態では、前側透光膜材１１ａと後側透光膜材１１ｂとの前後方向の隙間も狭くなっているため、その隙間内で上下方向に隣り合う遮光膜材１１ｃの前後方向の隙間も狭くなっている。したがって、図４（図５（ｃ））に示す状態では、スクリーン１１の後側（室外側）から前側（室内側）へと光が最も透過しにくい状態（遮光状態）が発現する。
【００３７】
これに対し、図５（ｄ）に示す状態では、図５（ｃ）に示す状態よりも、前側透光膜材１１ａが後側透光膜材１１ｂに対して相対的に前方へ移動して、前側透光膜材１１ａと後側透光膜材１１ｂとの前後方向の隙間が広くなるとともに、それぞれの遮光膜材１１ｃの前縁部（前側連結部１１ｃ１（図３，４を参照））が、それぞれの遮光膜材１１ｃの後縁部（後側連結部１１ｃ２（図３，４を参照））に対して相対的に前方へ移動した状態となる。このため、それぞれの遮光膜材１１ｃは、図５（ｃ）に示す状態よりも、寝た状態となる。図５（ｄ）に示す状態のスクリーン１１を前側から見ると、上下に隣り合う遮光膜材１１ｃの間に、隙間αが見えるようになる。したがって、図５（ｄ）に示す状態では、スクリーン１１の後側（室外側）から前側（室内側）へと光がある程度透過してくる状態（半採光状態）が発現する。
【００３８】
また、図５（ｅ）に示す状態では、図５（ｄ）に示す状態よりも、前側透光膜材１１ａが後側透光膜材１１ｂに対して相対的に前方及び上側へ移動して、前側透光膜材１１ａと後側透光膜材１１ｂとの前後方向の隙間がさらに広くなるとともに、それぞれの遮光膜材１１ｃの前縁部（前側連結部１１ｃ１）が、それぞれの遮光膜材１１ｃの後縁部（後側連結部１１ｃ２）に対して相対的に前方及び上方へ移動した状態となる。このため、それぞれの遮光膜材１１ｃは、図５（ｄ）に示す状態よりも、さらに寝た状態（略水平方向に寝た状態）となる。図５（ｅ）に示す状態のスクリーン１１を前側から見ると、上下に隣り合う遮光膜材１１ｃの境界部には、隙間αが広い上下幅で見えるようになる。したがって、図５（ｅ）に示す状態では、スクリーン１１の後側から前側へと光が多く透過してくる状態（最大採光状態）が発現する。
【００３９】
本実施態様の調光式ロールスクリーン１０では、図５（ｅ）に示す採光状態から巻装ローラ１２を逆方向Ａ２に回転させていくと、図５（ｆ），（ｇ），（ｈ）に示すように、採光状態のままスクリーン１１を巻装ローラ１２に巻き取ることができることもできるようになっている。
【００４０】
このように、本発明の調光式ロールスクリーン１０では、後側透光膜材１１ｂに対する前側透光膜材１１ａの相対的な位置（前後位置又は上下位置）を変化させ、遮光膜材１１ｃの起立角度を変化させることで、上下方向に隣り合う遮光膜材１１ｃの隙間αの幅を調整し、その隙間αを通じてスクリーン１１の後側から前側へ透過してくる光の量を広い範囲で調節することができるようになっている。遮光膜材１１ｃの起立角度は、スクリーン１０の前側透光膜材１１ａが巻装ローラ１２から完全に巻き解かれたとき（図５（ｃ）と図５（ｅ）との間の状態にあるとき）に、巻装ローラ１２を回転操作することで調節することができる。
【００４１】
ところで、図５（ｃ）に示す遮光状態が、スクリーン１１の後側から前側へ光が最も透過しにくい状態であることは既に述べた通りである。しかし、この遮光状態においても、上下方向に隣り合う遮光膜材１１ｃの僅かな隙間から光が微かに漏れ出てしまい、室内側（前側）からスクリーン１１を見ると、上下方向に隣り合う遮光膜材１１ｃの境界部に明るい部分（明部）が筋状に形成される虞がある。この点、本発明の調光式ロールスクリーン１０では、以下の工夫を施すことにより、遮光状態において、上下方向に隣り合う遮光膜材１１ｃの境界部における光の漏れを抑え、室内をより暗い状態とすることができるようにしている。
【００４２】
すなわち、図４に示す遮光状態では、それぞれの遮光膜材１１ｃにおける後側連結部１１ｃ２の上縁（点Ｒ１）が、それぞれの遮光膜材１１ｃの１つ上側に配される遮光膜材１１ｃの前側連結部１１ｃ１の上縁（点Ｑ１）よりも上側に位置するようにしている（図４における高さＨ１が０ｍｍよりも大きくなるようにしている）。これにより、遮光状態において上下方向に隣り合う遮光膜材１１ｃの間に形成される隙間をさらに小さくし、室内側（前側）からスクリーン１１を見たときに、上下方向に隣り合う遮光膜材１１ｃの境界部に明部が筋状に形成されないようにすることができる。遮光状態における、それぞれの遮光膜材１１ｃの前側連結部１１ｃ１の上縁（点Ｑ１）から、それぞれの遮光膜材１１ｃの１つ下側に配される遮光膜材１１ｃの後側連結部１１ｃの上縁（点Ｒ１）までの高さＨ１をどの程度とするかは、特に限定されないが、本実施態様の調光式ロールスクリーン１０では、５ｍｍ以上確保している。
【００４３】
図４に示す遮光状態では、それぞれの遮光膜材１１ｃにおける後側連結部１１ｃ２の下縁（点Ｒ２）は、それぞれの遮光膜材１１ｃの１つ上側に配される遮光膜材１１ｃの前側連結部１１ｃ１の下縁（点Ｑ２）よりも上側に位置するようにしてもよいが、１つ上側に配される遮光膜材１１ｃの前側連結部１１ｃ１の下縁（点Ｑ２）と同じ高さか、やや下側に位置するようにすることが好ましい。前側連結部１１ｃ１は、前側透光膜材１１ａと遮光膜材１１ｃとが重合する部分であり、後側連結部１１ｃ２は、後側透光膜材１１ｂと遮光膜材１１ｃとが重合する部分であるため、前側連結部１１ｃ１や後側連結部１１ｃ２は生地が２重となって特に光を通しにくい部分であるところ、前側連結部１１ｃ１の略全体が、後側連結部１１ｃ２の前側に完全に重なるようにすることにより、遮光状態において上下方向に隣り合う遮光膜材１１ｃの境界部における光の漏れをより確実に抑えることが可能になるからである。
【００４４】
それぞれの遮光膜材１１ｃにおける後側連結部１１ｃ２の上下幅（区間Ｒ１Ｒ２の長さ）は、上記の高さＨ１を０ｍｍよりも大きくできるのであれば特に限定されない。後側連結部１１ｃ２の上下幅は、既に述べたように、７〜２５ｍｍの範囲とすることが好ましく、８〜２０ｍｍの範囲とすることがより好ましく、９〜１５ｍｍの範囲とすることがさらに好ましい。本実施態様の調光式ロールスクリーン１０において、後側連結部１１ｃ２の上下幅は、約１０ｍｍとしている。
【００４５】
それぞれの遮光膜材１１ｃにおける前側連結部１１ｃ１の上下幅（区間Ｑ１Ｑ２の長さ）も、特に限定されない。しかし、前側連結部１１ｃ１は、前側透光膜材１１ａと遮光部材１１ｃとが重合した部分となっており、前側透光膜材１１ａや遮光部材１１ｃにおける他の部分よりも遮光性が高い部分となっていることに加えて、スクリーン１１の前側から視認される部分でもある。このため、前側連結部１１ｃ１は、スクリーン１１を前側から見たときに他の部分よりも暗い部分（暗部）となり勝ちである。前側連結部１１ｃ１による暗部は、特に採光状態において表れやすい傾向がある。
【００４６】
この点、前側連結部１１ｃ１の上下幅を広くしすぎると、前側連結部１１ｃ１による暗部が目立つようになり、調光式ロールスクリーン１０の見た目が悪くなる虞がある。したがって、前側連結部１１ｃ１の上下幅は、５ｍｍ以下とすることが好ましい。前側連結部１１ｃ１の上下幅は、４ｍｍ以下とすることがより好ましく、３ｍｍ以下とすることがさらに好ましい。前側連結部１１ｃ１の上下幅の下限は、特に限定されない。しかし、前側連結部１１ｃ１の上下幅を狭くしすぎると、前側連結部１１ｃ１に対する遮光膜材１１ｃの連結強度が低下する虞がある。このため、前側連結部１１ｃ１の上下幅は、通常、１ｍｍ程度は確保される。本実施態様の調光式ロールスクリーン１０において、前側連結部１１ｃ１の上下幅は、約２．５ｍｍとしている。
【００４７】
以上のように、本発明の調光式ロールスクリーン１０では、遮光状態において、それぞれの遮光膜材１１ｃにおける後側連結部１１ｃ２の上縁（点Ｒ１）が、それぞれの遮光膜材１１ｃの１つ上側に配される遮光膜材１１ｃの前側連結部１１ｃ１の上縁（点Ｑ１）よりも上側に位置させたことで、室内側をより暗くすることができるようにしている。ただし、そのためには、後側連結部１１ｃ２を後側透光膜材１１ｂにおけるより高い位置まで延在させる必要がある。
【００４８】
したがって、本発明の調光式ロールスクリーン１０では、上記のように高い位置まで延在する後側連結部１１ｃ２が、採光状態（特に最大採光状態）において、前方から見える虞がある。この後側連結部１１ｃ２は、後側透光膜材１１ｂと遮光部材１１ｃとが重合した部分となっており、後側透光膜材１１ｂや遮光部材１１ｃにおける他の部分よりも遮光性が高い部分となっていることに加えて、他の部分よりも暗い部分（暗部）として表れがちである。後側連結部１１ｃ２による暗部は、特に採光状態において表れやすい傾向がある。このため、採光状態において、スクリーン１１の前側から後側連結部１１ｃ２が見えてしまうと、後側連結部１１ｃ２による暗部が目立ち、調光式ロールスクリーン１０の見た目が悪くなる虞がある。
【００４９】
この不具合を解消するため、本実施態様の調光式ロールスクリーン１０では、図２に示すように、遮光膜材１１ｃの前後幅Ｗ１を、採光状態における前側透光膜材１１ａと後側透光膜材１１ｂとの間隔Ｄ１よりも大きく設定している。ここで、遮光膜材１１ｃの前後幅Ｗ１は、遮光膜材１１ｃにおける、前側透光膜材１１ａと後側透光膜材１１ｂとの間に位置する部分の前後幅（遮光膜材１１ｃを前後方向に真っすぐに伸ばしたときの前後幅。図２の遮光膜材１１ｃにおける、点Ｑ１と点Ｒ２との間に位置する部分のその湾曲に沿った長さに一致する。）を意味している。この前後幅Ｗ１は、遮光膜材１１ｃの上下方向の配置ピッチと同程度に設定される。
【００５０】
このように、遮光膜材１１ｃの前後幅Ｗ１を、採光状態における前側透光膜材１１ａと後側透光膜材１１ｂとの間隔Ｄ１よりも大きく設定することによって、採光状態においては、図２に示すように、遮光膜材１１ｃを「Ｓ」字状に湾曲させて、そのときの遮光膜材１１ｃに上側湾曲部β１と下側湾曲部β２とが形成されるようにするとともに、採光状態のスクリーン１１を前方から見たときに、それぞれの遮光膜材１１ｃにおける後側連結部１１ｃ２が、それぞれの遮光膜材１１ｃの上側湾曲部β１の後側に隠れるようにすることができる。上側湾曲部β１は、遮光膜材１１ｃの前縁側で上側に凸となるように湾曲する部分となっており、下側湾曲部β２は、遮光膜材１１ｃの後縁側で下側に凸となるように湾曲する部分となっている。
【００５１】
上記のように、遮光膜材１１ｃの前後幅Ｗ１を、採光状態における前側透光膜材１１ａと後側透光膜材１１ｂとの間隔Ｄ１よりも大きくするということは、換言すると、間隔Ｄ１に対する前後幅Ｗ１の比Ｗ１／Ｄ１を、１よりも大きい値に設定するということである。この比Ｗ１／Ｄ１の具体的な値は、特に限定されないが、比Ｗ１／Ｄ１を小さくしすぎる（１に近い値にしすぎる）と、採光状態における遮光膜材１１ｃの湾曲が緩やかになって、上側湾曲部β１が低くなり、上側湾曲部β１の後側に後側連結部１１ｃ２が隠れにくくなる虞がある。このため、比Ｗ１／Ｄ１は、１．３以上とすることが好ましい。比Ｗ１／Ｄ１は、１．５以上とすることがより好ましく、１．７以上とすることがさらに好ましい。
【００５２】
一方、比Ｗ１／Ｄ１を大きくしすぎると、採光状態において、上側湾曲部β１や下側湾曲部β２が上下に大きく突出するようになり、上下方向に隣り合う遮光膜材１１ｃの間に形成される隙間αが上側湾曲部β１や下側湾曲部β２によって塞がれてしまい、室内を明るくすることができなくなる虞がある。このため、比Ｗ１／Ｄ１は、２．５以下とすることが好ましい。比Ｗ１／Ｄ１は、２．２以下とすることがより好ましく、２．０以下とすることがさらに好ましい。本実施態様の調光式ロールスクリーン１０においては、採光状態における前側透光膜材１１ａと後側透光膜材１１ｂとの間隔Ｄ１を約４０ｍｍに設定しているのに対して、遮光膜材１１ｃの前後幅Ｗ１を約７０ｍｍに設定しているため、比Ｗ１／Ｄ１の値は、約１．７５となっている。
【００５３】
本実施態様の調光式ロールスクリーン１０において、所望の効果（遮光状態において室内側をより暗くする効果等）がより確実に奏されるようにするためには、それぞれの遮光膜材１１ｃにおける前側連結部１１ｃ１や後側連結部１１ｃ２を高い精度で位置決めする必要がある。また、それぞれの遮光膜材１１ｃが高い精度で水平方向に配されるようにする必要もある。
【００５４】
この点、本実施態様の調光式ロールスクリーン１０では、スクリーン１１を、織機により形成し、その前側透光膜材１１ａと後側透光膜材１１ｂと遮光膜材１１ｃとを一体的に織り上げて形成することで、それぞれの遮光膜材１１ｃにおける前側連結部１１ｃ１や後側連結部１１ｃ２を高い精度で位置決めできるようにしている。加えて、その織り上げられたスクリーン１１を、そのスクリーン１１にテンションを掛けた状態で台の上に乗せ、その上縁及び下縁並びにその両側の側縁を、スクリーンの向きを切り替えることなく、切断することで、それぞれの遮光膜材１１ｃが高い精度で水平方向に配されるようにしている。スクリーン１１を裁断する台の上面には、多数の吸気部を設け、その吸気部で吸気を行ってスクリーン１１が台の上面に吸い付いた状態で裁断を行うと、スクリーン１１をより高精度に裁断することができる。
【００５５】
スクリーン１１における前側透光膜材１１ａや後側透光膜材１１ｂは、透光性の高い生地（遮光性の低い生地）であれば、特に限定されない。しかし、前側透光膜材１１ａや後側透光膜材１１ｂには、透光性が高い生地を用いた方が、採光状態において室内をより明るくすることができ、調光式ロールスクリーン１０の調光の幅を広くすることが可能になる。このため、前側透光膜材１１ａ及び後側透光膜材１１ｂには、遮光率（ＪＩＳ−Ｌ１０５５のＡ法に準拠して測定した遮光率のこと。以下同じ。）が８０％未満の生地（透光率が２０％以上の生地）を用いることが好ましい。前側透光膜材１１ａ及び後側透光膜材１１ｂの遮光率は、５０％未満（透光率が５０％以上）とすることがより好ましく、３０％未満（透光率が７０％以上）とすることがさらに好ましい。このように高い透光性を有する前側透光膜材１１ａや後側透光膜材１１ｂは、明色（白色等）の細い糸を目の大きなメッシュ状に編製又は織製することにより実現することができる。
【００５６】
一方、スクリーン１１における遮光膜材１１ｃは、遮光性の高い生地（透光性の低い生地）であれば、特に限定されない。しかし、遮光膜材１１ｃには、遮光率が高い生地を用いた方が、室内をより暗くすることができ、本発明の構成を採用する意義が高まる。このため、遮光膜材１１ｃには、遮光率（ＪＩＳ−Ｌ１０５５のＡ法に準拠して測定した遮光率のこと。以下同じ。）が９０％以上の生地を用いることが好ましい。遮光膜材１１ｃの遮光率は、９５％以上とすることがより好ましく、９９％以上とすることがさらに好ましい。遮光膜材１１ｃは、日本インテリアファブリックス協会（ＮＩＦ）における遮光等級が３級以上（遮光率で９９．４０％以上）の生地で形成することや、同遮光等級が２級以上（遮光率で９９．８０％以上）の生地で形成することや、同遮光等級が１級（遮光率で９９．９９〜１００．００％）の生地で形成することもできる。このように高い遮光性を有する遮光膜材１１ｃは、暗色（黒色等）の糸を密に編製又は織製することにより実現することができる。
【００５７】
ここで、遮光膜材１１ｃは、水平方向に配される緯糸（横糸）と鉛直方向（上下方向）に配される経糸（縦糸）とで構成し、緯糸（横糸）に、経糸（縦糸）よりも太くて硬めの糸を用いることが好ましい。
【００５８】
というのも、緯糸（横糸）に、経糸（縦糸）よりも太くて硬めの糸を用いること（換言すると、経糸（縦糸）に、緯糸（横糸）よりも細くて柔らかめの糸を用いること）により、遮光膜材１１ｃが縦方向に曲がりやすくなり、巻装ローラ１２に巻き取られたスクリーン１１の径（巻き取り径）を小さくすることが可能になるからである。特に、本発明の調光式ロールスクリーン１０は、既に述べたように、スクリーン１１を採光状態のまま巻装ローラ１２に巻き取ることができ（図５（ｇ），（ｈ）を参照。）、このときの遮光膜材１１ｃは複数回折り曲げられて曲がりにくい状態となるところ、上記の構成を採用することによって、スクリーン１１を採光状態のまま巻装ローラ１２に巻き取る場合でも、スクリーン１１の巻き取り径を小さくすることが可能になる。
【００５９】
また、上記のように、緯糸（横糸）として太くて硬めの糸を用いることにより、遮光膜材１１ｃを水平方向に真っすぐに形成することも容易となる。というのも、本発明の調光式ロールスクリーン１０において、スクリーン１１は、編製又は織製することが好ましいことについては、既に述べた通りであるが、編製又は織製された後のスクリーン１１には、通常、熱処理等の後工程が施されるため、この後工程の際に遮光膜材１１ｃの形が崩れる虞がある。この点、緯糸（横糸）として太くて硬めの糸を用いることによって、熱処理等の後工程においても、緯糸（横糸）の形が崩れにくくして、遮光膜材１１ｃが水平方向に真っすぐな状態が維持されやすくすることが可能になるからである。
【００６０】
本発明の調光式ロールスクリーン１０は、その設置場所を限定されるものではなく、家庭や事業所等の様々な場所に設置することができる。なかでも、ホテルの客室の採光用開口部（窓等）に設置するものとして適している。というのも、ホテルの宿泊客の中には、部屋を暗くしないと眠れない人や、逆に朝になったときに部屋が明るくならないと起きることができない人等、様々なタイプの人がいるため、ホテルの客室では、宿泊客が好みに応じて採光用開口部から取り込まれる光の量を調節できるようにする要求が強いところ、本発明の調光式ロールスクリーン１０を採用するとそのような要求にも応えることができるからである。
【符号の説明】
【００６１】
１０    調光式ロールスクリーン
１１    スクリーン
１１ａ  前側透光膜材
１１ｂ  後側透光膜材
１１ｃ  遮光膜材
１１ｃ１  前側連結部
１１ｃ２  後側連結部
１２    巻装ローラ
１３    操作紐（回転操作手段）
１４    摩擦車
１５    ボトムレール
Ｄ１  採光状態における前側透光膜材と後側透光膜材との前後方向の間隔
Ｈ１  遮光状態における、それぞれの遮光膜材の前側連結部の上縁から、それぞれの遮光膜材の１つ下側に配される遮光膜材の後側連結部の上縁までの高さ
Ｗ１  遮光膜材における、前側透光膜材と後側透光膜材との間に位置する部分の前後幅
α    上下に隣り合う遮光膜材の間に形成される隙間
β１  上側湾曲部
β２  下側湾曲部
【図１】
2019196683.tif 000003
【図２】
2019196683.tif 000004
【図３】
2019196683.tif 000005
【図４】
2019196683.tif 000006
【図５】
2019196683.tif 000007